(57)【要約】【課題】一端を地中に埋め込むことが容易で、埋め込んだ一端が地中から抜けにくい支柱を提供する。【解決手段】支柱１は、第１方向に延びる筐体２と、筐体２の一端２ａに設けられた穿孔部４と、穿孔部４を操作する操作部５と、防抜部１０を備える。防抜部１０は、穿孔部４寄りの筐体２の外側面に設けられた基部１１と、基部１１から遠ざかるように延びて、基部１１から最も遠い最外端が基部１１よりも筐体２の他端２ｂ側に傾斜する複数の板状部１２とを備える。【選択図】図２
2017150171.tif 000002
【特許請求の範囲】
【請求項１】
第１方向に延びる筐体と、
前記筐体の一端に設けられた穿孔部と、
前記穿孔部寄りの前記筐体の外側面に設けられた基部と、前記基部から遠ざかるように延びて、前記基部から最も遠い最外端が前記基部よりも前記筐体の他端側に傾斜する複数の板状部とを備えることを特徴とする支柱。
【請求項２】
前記筐体は、中空構造体であり、
前記筐体の他端側に設けられた前記穿孔部を操作する操作部と、前記穿孔部とを前記筐体内部で連結するための操作シャフトをさらに備える請求項１に記載の支柱。
【請求項３】
前記操作シャフトが中空構造体である請求項２に記載の支柱。
【請求項４】
少なくとも２つの前記板状部が前記筐体を挟んで対称な位置に配置されている請求項１から請求項３のいずれか１項に記載の支柱。
【請求項５】
複数の前記板状部が前記基部で連結されている請求項１から請求項４のいずれか１項に記載の支柱。
【請求項６】
前記筐体の一端の外形よりも、前記穿孔部の最大外形の方が大きい請求項１から請求項５のいずれか１項に記載の支柱。
【請求項７】
前記筐体の外形が、角のある多角形である請求項１から請求項６のいずれか１項に記載の支柱。
【発明の詳細な説明】
【技術分野】
【０００１】
本発明は、案内表示、道標又は標識などを固定できる支柱に関する。
【背景技術】
【０００２】
巡視を効率よく円滑に行うことが可能な送電鉄塔の巡視支援方法及び携帯情報端末が提案されている（特許文献１参照）。
【先行技術文献】
【特許文献】
【０００３】
【特許文献１】特開２００８−０２０６１４号公報
【特許文献２】実開平３−４１０６９号公報
【発明の概要】
【発明が解決しようとする課題】
【０００４】
管理する送電鉄塔についての巡視は、通常、平野部や山間部に設置されている送電鉄塔に沿って巡視員が徒歩で移動することにより行われる。巡視員は、送電鉄塔間の巡視路を通ることになるが、巡視路の状況によっては巡視員が道なき道を歩くこともあり、巡視員が送電鉄塔への到着するまでの道のりは険しいことが多い。特許文献１の技術では、携帯情報端末に送電鉄塔位置のみを登録しているため、険しい巡視路であったり、山の中等の地形によって送電鉄塔を確認できない場合であったりすると、巡視路の分岐点等で道に迷うこともある。このため、巡視路の分岐点等には道標が設置してあり、道標には、送電鉄塔へはどの道を行けばよいか矢印等で案内表記してあることが多い。
【０００５】
道標は、例えば、特許文献２に記載された、下部を地中に打ち込む支柱に取り付けられている。特許文献２に記載された支柱は、立設するのに、専用の台座（例えばコンクリート製の台座）が不要で、直接地中に打ち込むことができるため、軽量である。しかしながら、特許文献２に記載された支柱は、地中から抜けて倒れることが多い。
【０００６】
本発明は、上記に鑑みてなされたものであって、一端を地中に埋め込むことが容易で、埋め込んだ一端が地中から抜けにくい支柱を提供することを目的とする。
【課題を解決するための手段】
【０００７】
上述した課題を解決し、目的を達成するために、支柱は、第１方向に延びる筐体と、前記筐体の一端に設けられた穿孔部と、前記穿孔部寄りの前記筐体の外側面に設けられた基部と、前記基部から遠ざかるように延びて、前記基部から最も遠い最外端が前記基部よりも前記筐体の他端側に傾斜する複数の板状部とを備える。
【０００８】
作業者は、支柱の一端を地中へ埋め込むことができる。板状部の最外端が基部よりも筐体の他端側に傾斜するため、板状部が穿孔部とともに、容易に地中に埋め込まれる。作業者が支柱を引き出す方向に少し移動させると、板状部の最外端と基部との上下方向の位置が近づくので、板状部の最外端が基部よりも筐体の他端側に傾斜する角度が変化する。その結果、筐体が延びる第１方向からみて、板状部の最外端が基部から外側へ張り出す面積が増え、引き抜きの抵抗が増える。その結果、支柱は、埋め込んだ一端が地中から抜けにくくなる。
【０００９】
本発明の望ましい態様として、前記筐体は、中空構造体であり、前記筐体の他端側に設けられた前記穿孔部を操作する操作部と、前記穿孔部とを前記筐体内部で連結して、前記穿孔部を回転自在に支持するための操作シャフトをさらに備える。これにより、支柱が軽量となり、作業者が持ち運び易くなる。また、作業者は、操作部を回転させるだけで、支柱の一端を地中に埋め込むことが容易となる。
【００１０】
本発明の望ましい態様として、前記操作シャフトが中空構造体であることが好ましい。これにより、支柱が軽量となり、作業者がさらに持ち運び易くなる。
【００１１】
本発明の望ましい態様として、少なくとも２つの前記板状部が前記筐体を挟んで対称な位置に配置されていることが好ましい。この構造により、２つの板状部のバランスがとれて、支柱の傾きが抑制される。
【００１２】
本発明の望ましい態様として、複数の前記板状部が前記基部で連結されていることが好ましい。これにより、基部が補強となり、複数の板状部の状態にばらつきが少なくなる。
【００１３】
本発明の望ましい態様として、前記筐体の一端の外形よりも、前記穿孔部の最大外形の方が大きいことが好ましい。これにより、筐体が穿孔部が開けた穴に入る抵抗が少なくなる。
【００１４】
本発明の望ましい態様として、前記筐体の外形が、角のある多角形であることが好ましい。これにより、筐体の角が筐体の回転の抵抗となり、埋め込み後の支柱の回転が抑制される。
【発明の効果】
【００１５】
本発明によれば、一端を地中に埋め込むことが容易で、埋め込んだ一端が地中から抜けにくい支柱を提供することができる。
【図面の簡単な説明】
【００１６】
【図１】図１は、送電鉄塔の巡視を説明するための説明図である。
【図２】図２は、実施形態に係る支柱の中心軸を含む断面で切った模式的な断面を示す断面図である。
【図３】図３は、図２のＩＩＩ−ＩＩＩ断面で切った模式的な断面を示す断面図である。
【図４】図４は、防抜部を中心軸と平行な方向からみた模式図である。
【図５】図５は、実施形態に係る支柱に取り付けられた道標の取付構造の一例を示す模式図である。
【図６】図６は、実施形態に係る支柱に取り付けられた道標の取付構造の一例を示す模式図である。
【図７】図７は、実施形態に係る支柱の埋め込み作業を説明するための説明図である。
【図８】図８は、実施形態に係る支柱の埋め込み作業を説明するための説明図である。
【図９】図９は、実施形態に係る支柱の埋め込み作業を説明するための説明図である。
【図１０】図１０は、図２のＩＩＩ−ＩＩＩ断面で切った模式的な断面を示す断面図である。
【図１１】図１１は、防抜部の変形例を説明するための部分断面図である。
【発明を実施するための形態】
【００１７】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１８】
図１は、送電鉄塔の巡視を説明するための説明図である。図１に示すように、送電鉄塔１０１から送電鉄塔１０４までの巡視をする場合、巡視対象ではない送電鉄塔１０５に惑わされないよう、巡視者（作業者）が予め定められた巡視路Ｗを移動する必要がある。巡視者は、特許文献１に記載されたような携帯情報端末３０を携帯して、山や丘陵Ｍ、川Ｒ、樹木Ｔなどの障害物がある山間地を通る必要がある。巡視路Ｗが整備されている前提であるが、巡視路が舗装路でないことから、巡視路整備（鍬入れ・階段の修理等）を行っていても季節によっては草が繁茂し、巡視路がわからない状態となることもある。
【００１９】
巡視者と山や丘陵Ｍ等の地形との位置関係によっては、巡視対象の送電鉄塔１０２でなく、巡視対象外の送電鉄塔１０５の方向へ巡視路Ｗを誤認する可能性がある。この巡視路Ｗの誤認を防ぐため、巡視路Ｗの分岐点等には支柱１が設置してあり、支柱１に取り付けられた後述する道標には、巡視対象となる送電鉄塔へはどの道を行けばよいか矢印等で案内表記してある。
【００２０】
［支柱］
図２は、実施形態に係る支柱の中心軸を含む断面で切った模式的な断面を示す断面図である。図３は、図２のＩＩＩ−ＩＩＩ断面で切った模式的な断面を示す断面図である。図３には、支柱１の中心軸ＡＸと直交する断面で切った模式的な断面が示されている。図４は、防抜部を中心軸と平行な方向からみた模式図である。図５は、実施形態に係る支柱に取り付けられた道標の取付構造の一例を示す模式図である。図６は、実施形態に係る支柱に取り付けられた道標の取付構造の一例を示す模式図である。
【００２１】
図２に示すように、支柱１は、第１方向に延びる筐体２と、筐体２の一端２ａに設けられた穿孔部４と、穿孔部４を操作する操作部５と、防抜部１０を備える。本実施形態では、筐体２の長手方向は、筐体２の中心軸ＡＸと平行な方向である。
【００２２】
図２及び図３に示すように、筐体２は、中心軸ＡＸの回りが中空の中空構造体である。これにより、支柱が軽量となり、巡視者が持ち運び易くなる。筐体２は、例えば円筒であり、長手方向（第１方向）に延びている。筐体２は、例えばアルミニウム合金製の部材であり、例えば、芝刈り機等の衝突されても変形しにくい剛性がある厚みを有している。筐体２の一端２ａ近傍の外側面には、周方向に溝２ｃがある。
【００２３】
操作シャフト３は、操作部５と穿孔部４とを筐体２内部で連結する。操作シャフト３の外形の直径Ｄ１は、筐体２の外形の直径Ｄ２よりも小さい。図２及び図３に示すように、操作シャフト３は、例えば円筒の中空構造体である。これにより、支柱１がさらに軽量となり、巡視者が持ち運び易くなる。操作シャフト３は、筐体２に対して軸受６、７で回転自在に支持されている。図３に示すように、操作シャフト３が筐体２と同軸であり、操作部５の回転が操作シャフト３の回転に伝達され、操作シャフト３の回転が穿孔部４の回転として伝達される。
【００２４】
穿孔部４は、地中に孔を開けるための先端工具である。穿孔部４は、外表面に螺旋状の刃を備えるいわゆるドリルである。穿孔部４は、例えば、鉄、アルミニウム合金などの金属製である。巡視者が操作部５の回動をすると、穿孔部４が右周り又は左回りに中心軸ＡＸの回りを回転する。穿孔部４が回転する方向に応じて、地面に孔を開ける動作、又は支柱の位置を地中から引き戻す動作が選択される。なお、本実施形態の穿孔動作が穿孔部４の回転による動作を例示するが、これに限られず、例えば中心軸ＡＸと平行な方向に打撃する動作で穴を開けるものでもよい。穿孔部４の形状も先細る形状に限られず、穿孔部４の形状が例えば円筒の一端に刃がついているような形状でもよい。
【００２５】
穿孔部４の最大直径（最大外形）Ｄ３は、筐体２の一端２ａの直径Ｄ２よりも大きい。これにより、筐体２が穿孔部４が開けた孔に入る抵抗が少なくなる。
【００２６】
図２に示すように、操作部５は、操作シャフト３と連結されている。図２及び図５に示すように、操作部５は、中実円柱であり、例えば合成樹脂である。操作部５の外周表面には、中心軸ＡＸと平行な方向に溝５Ｍが複数ある。操作部５は、専用旋回工具８で回転されることが望ましい。専用旋回工具８は、把持部８１と、把持部８１が取り付けられた内側に溝５Ｍと嵌め合う溝８Ｍを備える凹部を有する箱部８２とを備える。専用旋回工具８の把持部８１の旋回半径は、操作部５の外周半径よりも大きいので、巡視者が専用旋回工具８の把持部８１に加える回転力が小さくても、箱部８２、操作部５、操作シャフト３、穿孔部４に伝達される回転力が高くなる。なお、巡視者は、操作部５を手で回転してもよい。溝５Ｍは、滑り止めの効果があればよく、溝の形状は問わない。操作部５の外周表面は、溝５Ｍの代わりに、網目状であっても、ローレットであっても、凹凸の表面であってもよい。
【００２７】
防抜部１０は、図２及び図４に示すように、穿孔部４寄りの筐体２の外側面に設けられた基部１１と、基部１１から遠ざかるように延びて、基部１１から最も遠い最外端が基部１１よりも筐体２の他端２ｂ側に傾斜する複数の板状部１２とを備える。防抜部１０は、例えば、合成樹脂、エラストマー、ゴムなどで形成されている。
【００２８】
防抜部１０は、複数の板状部１２が基部１１で連結されている。例えば、図４に示すように、基部１１は、中空環状の部材であり、周方向に等間隔で配置された複数の板状部１２が基部１１から突出し、周方向に隣り合う板状部１２の間には、スリット１２Ｓができる。この構造により、基部１１から最も遠い最外端１２ｅが揺動可能になる。スリット１２Ｓは、最外端１２ｅから基部１１まで達していなくてもよい。最外端１２ｅの形状は、直線でなくてもよく、曲線でもよい。板状部１２の厚みは、３ｍｍ以上１０ｍｍ以下であることが好ましい。この範囲の厚みは、支柱を引き抜く力に抗するような抗変形のための板状部１２の剛性に寄与する。
【００２９】
複数の板状部１２の数は、８つを例示したが、少なくとも２つあればよく、数は限定されない。なお、少なくとも２つの板状部１２が一対として中心軸ＡＸを挟んで対称な位置に配置されていることが好ましい。結果として、２つの板状部１２が一対として筐体２を挟んで対称な位置に配置されるので、２つの板状部１２のバランスがとれて、一端２ａが地中に埋め込まれた支柱１の傾きが抑制される。
【００３０】
図２に示すように、基部１１が筐体２の溝２ｃに嵌め込まれ固定される。基部１１の内径Ｄ４は、筐体２の一端２ａの直径Ｄ２よりも小さい。より好ましくは、基部１１の内径Ｄ４は、筐体２の溝２ｃの直径よりも小さい。この構造により、支柱の一端２ａの埋め込む場合、防抜部１０に対して中心軸ＡＸと平行な方向の力が加わっても、防抜部１０が筐体２から外れにくくなる。防抜部１０は、地面の中（地中）に埋め込まれて、支柱１の引き抜きを抑制する構造体である。
【００３１】
防抜部１０が筐体２に固定された状態において、板状部１２が基部１１から最も遠い最外端１２ｅが基部１１よりも筐体２の他端２ｂ側に傾斜している。これにより、支柱１の中心軸ＡＸと直交する断面と板状部１２の面とがなす角度は、図２に示す角度αである。
【００３２】
図５に示すように、支柱１には、道標２０が取付構造体９を介して固定されている。本実施形態の取付構造体は、中空構造の円筒体であって、内部に支柱を貫通させ、側面を貫通する雌ねじ孔に雄ねじ９１を締結することで、雄ねじ９１の先端を支柱１の筐体２へ押し付け固定する状態とする。
【００３３】
道標２０には、道標２０がある位置情報を記憶した、いわゆるＩＣタグ２１が埋め込まれている。巡視者は、携帯する携帯情報端末３０の無線通信ＲＷを介して道標２０が記憶する位置情報を読み出すことができる。巡視者は、現在位置が確認できることにより不安が低減する。
【００３４】
道標２０の表面には、送電鉄塔１０１から送電鉄塔１０４のいずれかを示す方向の指標（矢印指標）２２、案内情報２３が印刷されている。
【００３５】
［支柱の埋め込み作業］
図７から図９は、実施形態に係る支柱の埋め込み作業を説明するための説明図である。図７は、支柱１の埋め込み開始時点の状態を示している。巡視者は、支柱１の筐体２の一端２ａを地中Ｇ側へ向ける。次に、巡視者は、上述した操作部５（図２参照）を回転させ、穿孔部４を回転させる。支柱１の筐体２の一端２ａが、ＤＷ方向に穴を開けながら地中Ｇに埋め込まれる。図８は、支柱１が最も深く埋め込まれた状態を示している。巡視者は、板状部１２の最外端１２ｅが十分見えなくなるまで、支柱１の筐体２の一端２ａを地中Ｇへ埋め込む。この場合、支柱１の中心軸ＡＸと直交する断面と板状部１２の面とがなす角度は、図２に示す角度αよりも大きくなり角度βとなる。基部１１と地面とは、距離Ｐ１の関係にある。
【００３６】
巡視者は、操作部５（図２参照）の回転を逆にするか、筐体２を引っ張る。これにより、支柱１が地面から引き出す方向に少し移動し、ＵＰ方向へ支柱１の筐体２の一端２ａが移動する。図９は、支柱１の埋め込み作業が完了された状態を示している。基部１１と地面との距離が距離Ｐ１（図８参照）よりも小さい距離Ｐ２となる。板状部１２の最外端１２ｅと基部１１との上下方向の位置が近づくので、板状部１２の最外端１２ｅが基部１１よりも筐体２の他端１２ｂ側（図２参照）に傾斜する角度が変化する。この場合、支柱１の中心軸ＡＸと直交する断面と板状部１２の面とがなす角度は、図８に示す角度βよりも小さくなり角度γとなる。その結果、筐体２が延びる長手方向からみて、板状部１２の最外端１２ｅが基部１１から外側へ張り出す面積が増え、引き抜きの抵抗が増える。そして、支柱１は、埋め込んだ一端２ａが地中Ｇから抜けにくくなる。
【００３７】
以上説明したように、支柱１は、第１方向に延びる筐体２と、筐体２の一端２ａに設けられた穿孔部４と、穿孔部４を操作する操作部５と、防抜部１０を備える。防抜部１０は、穿孔部４寄りの筐体２の外側面に設けられた基部１１と、基部１１から遠ざかるように延びて、基部１１から最も遠い最外端が基部１１よりも筐体２の他端２ｂ側に傾斜する複数の板状部１２とを備える。この構造により、支柱１は、立設するのに、専用の台座が不要で、直接地中に打ち込むことができる。そして、支柱１は、一端２ａを地中Ｇに埋め込むことが容易で、埋め込んだ一端２ａが地中Ｇから抜けにくい。巡視者は、道標２０の見落としが少なくなり、巡視路Ｗを迷わず進むことで、時間のロスを低減できる。例えば、緊急時の巡視では早期の事故点発見が早期復旧にもつながるので巡視路Ｗを迷わないことは電力の供給信頼度の向上にもつながる。
【００３８】
筐体２は、金属製の円筒体であり、折れにくいので、修理費用を低減できる。支柱１は、埋め込んだ一端２ａが地中Ｇから抜けにくくなる。操作部５は、支柱１の設置後、取り外され、支柱１の引き抜かれを抑制し、操作部５の再利用して、他の支柱１の設置に活用することもできる。操作部５が取り外される場合は、代わりの蓋を支柱１につけておくことが望ましい。
【００３９】
（変形例）
図１０は、図２のＩＩＩ−ＩＩＩ断面で切った模式的な断面を示す断面図である。なお、上述したものと同じ部材、構成要素には同一の符号を付して重複する説明は省略する。
【００４０】
本実施形態の変形例に係る支柱１は、筐体２Ａが外形が四角の筒体である。筐体２Ａの外形には角があるので、埋め込み後の支柱１の回転が抑制される。
【００４１】
筐体２Ａが外形には、図２のＩＩＩ−ＩＩＩ断面で角があればよく、三角、五角、六角、八角などの多角形であればよい。また、穿孔部４より上方２０ｃｍ程度が筐体２のように外形が円形であり、他の外形が筐体２Ａのように角がある多角形としてもよい。
【００４２】
図１１は、防抜部の変形例を説明するための部分断面図である。なお、上述したものと同じ部材、構成要素には同一の符号を付して重複する説明は省略する。図１１に示すように、防抜部１０が筐体２に複数取り付けられていてもよい。防抜部１０が支柱１の中心軸ＡＸと平行な方向に複数設けられると、支柱１が地中Ｇからさらに抜けにくくなる。このように、防抜部１０が多いほど、支柱１の姿勢が安定し、支柱１が地中Ｇから引きにくくなる。
【符号の説明】
【００４３】
１  支柱
２、２Ａ  筐体
２ａ  一端
２ｂ  他端
３  操作シャフト
４  穿孔部
５  操作部
８  専用旋回工具
９  取付構造体
１０  防抜部
１１  基部
１２  板状部
１２Ｓ  スリット
１２ｅ  最外端
１２ｂ  他端
２０  道標
２１  ＩＣタグ
２３  案内情報
３０  携帯情報端末
１０１、１０２、１０３、１０４、１０５  送電鉄塔
ＡＸ  中心軸
Ｍ  丘陵
Ｒ  川
Ｔ  樹木
Ｗ  巡視路
【図１】
2017150171.tif 000003
【図２】
2017150171.tif 000004
【図３】
2017150171.tif 000005
【図４】
2017150171.tif 000006
【図５】
2017150171.tif 000007
【図６】
2017150171.tif 000008
【図７】
2017150171.tif 000009
【図８】
2017150171.tif 000010
【図９】
2017150171.tif 000011
【図１０】
2017150171.tif 000012
【図１１】
2017150171.tif 000013